(57)【要約】【課題】本発明は、パネル状のLED照明灯(P)においてLED照明灯(P)の照明灯固定用周囲枠（S）をヒートシンク部とすることにより、LED照明灯（P）から生じる熱を放出して、前記熱によりLEDの寿命を低下させることのないLED照明（P）を製作し提供することにある。【解決手段】本発明は、LED照明灯(P)においてLED照明灯(P)から生じる熱を外気に放熱するため、押し出し材から形成される勘合用突起部を備えたLED照明灯(P)を天井などに固定する天井などに取り付けられる押し出し材からなる照明灯固定用枠（S）を放熱用のヒートシンク部として追加し、前記LED照明灯（P）に形成した前記勘合用突起を、照明灯固定用枠（S）に形成した対応する勘合用圧力調整のための切り込みのある勘合用突起部に勘合することにより双方の勘合部の勘合圧力を調整し、熱伝導時における勘合による熱抵抗値を低減させ前記照明灯固定用枠（S）よりLED照明灯(P)からの熱を放熱する。【選択図】図7
2011171195.tif 000002
【特許請求の範囲】
【請求項１】
押し出し材からなるLED照明灯（P）に設けた勘合用突起(2)を前記LED照明灯（P）の固定と前記LED照明灯（P）からの熱の放熱を行う照明灯固定用枠（S）に設けた、対応する対応勘合部突起(7)に圧力にて勘合し、前記勘合用突起(2)と対応勘合部突起(7)のどちらか一方又は双方に勘合時の勘合圧力を調整する切込みを形成することを特徴したLED照明灯構造。
【発明の詳細な説明】
【技術分野】
【０００１】
本発明は、LED照明灯の構造として使用される。
【背景技術】
【０００２】
LEDを用いた照明灯において天井や壁などに貼り付けて使用するパネル状のLED照明灯(P)は通常、発光部をガラス又はアクリル板で形成されている、そのパネル状の照明灯(P)の厚みを極力薄いものにしようとすると、パネルの背面は壁や天井に接しているのでLED照明灯(P)点灯時において生じる熱は、発光部を形成するアクリル部分や、接している壁や天井またはLED照明灯(P)に設けられた放熱用金属部から外気に放出されていくが、通常壁や天井及び前記アクリル部は熱伝導率が低いため、LED照明灯(P)からの熱を瞬時に放出するには困難であり、またパネル状のLED照明灯(P)の厚みが薄いので外気と接しているLED照明灯(P)に形成される熱伝導率の高く放熱に有効な金属部面積はわずかなものとなり、放熱も困難なものとなるので、LEDの温度が上昇しLED自体の寿命を低下させるおそれがあった。
【発明の概要】
【発明が解決しようとする課題】
【０００３】
本発明は、パネル状のLED照明灯(P)においてLED照明灯(P)から生じる熱を外気に放熱するため、LED照明灯(P)を天井などに固定する天井などに取り付けられるアルミ押し出し材からなる照明灯固定用枠（S）を放熱用のヒートシンク部としてLED照明灯(P)からの熱の放熱部を追加することによりLEDの寿命を低下させることのないLED照明（P）を製作し提供することにある。
【課題を解決するための手段】
【０００４】
本発明は、パネル状のLED照明灯(P)においてLED照明灯(P)から生じる熱を外気に放熱するため、アルミの押し出し材から形成される勘合のための勘合突起部（7）を備えたLED照明灯(P)を天井などに固定する天井などに取り付けられるアルミ押し出し材からなる照明灯固定用枠（S）を放熱用のヒートシンク部として追加し、前記LED照明灯（P）に形成した前記勘合用突起（2）を、照明灯固定用枠（S）に形成した対応する勘合用圧力調整のための切り込みのある勘合用突起部（7）に勘合することにより双方の勘合部の勘合圧力を調整し、熱伝導時における勘合による熱抵抗値を低減させ前記照明灯用枠（S）よりLED照明灯(P)からの熱を放熱する。
【発明の効果】
【０００５】
LEDの寿命を低下させることのないLED照明灯を提供できる。
【図面の簡単な説明】
【０００６】
【図１】天井に取り付けられたLED照明灯（P）
【図２】本発明によるLED照明灯本体部(1)
【図３】(1a) LED照明灯本体部(1)に光拡散板（4）を取り付ける斜視図          (2a)完成した LED照明灯斜視図(P)
【図４】照明灯固定枠（S）
【図５】LED照明灯（P）を照明灯固定枠（S）に挿入する図である
【図６】LED照明灯（P）を照明灯固定枠（S）に挿入図である
【図７】LED照明灯（P）と照明灯固定枠（S）の天井取り付け図
【発明を実施するための形態】
【０００７】
以下、本発明の実施の形態を、図を使用して説明する。
【０００８】
図1は、本発明による複数のパネル状LED照明灯（P）を天井に取り付けた図でありLED照明灯（P）から生じる熱は、主にLED照明灯（P）を勘合する押し出し材からなる照明灯固定枠（S）から外気に放出される。
図2はアルミニューム押し出し材からなる本発明のLED照明灯本体部（1）の押し出し方向から見た図である、（2）は、幅(t1)、長さ(L1),厚さ(m1)のLED照明灯（P）と照明灯固定枠（S）を勘合する勘合用突起である。
【０００９】
図3における図(1a)は、複数のLED(3)を、装着したLED照明灯本体部（1）に（配線図などは省略）矢印方向にアクリル製の光拡散板（4）を装着する図である、図(2a)は、装着後の図である。これが1つのLED照明灯（P）を形成する。
勘合用突起(2)には、切削切り込み（5）が施されている。この切り込みは以降に説明する
対応する照明灯固定枠（S）の勘合の際に勘合圧力を調整するためのものなので、必要に応じて数及びその有無が決められる。
図4は、LED照明灯（P）と勘合するアルミニューム押し出し材からなる熱放出のヒートシンク部となる、勘合用突起（2）に対応する長さ(L2)と厚さ(m2)の対応勘合部（7）を形成した長さ(Le)の放熱フィン(F)を形成した照明灯固定枠（S）である。
照明灯固定枠（S）には対応勘合部(7)に勘合時における勘合圧力を調整する切削切り込み（6）が施されている、この切り込みの数及び間隔は必要に応じて決められる。
図5は、LED照明灯（P）を照明灯固定用枠（S）に矢印の方向からまさに挿入する図である、LED照明灯（P）の勘合用突起（2）の幅(t1)は対応する照明灯固定用枠（S）の幅(t2)と同じ又は若干大きめに製作されているので、図6に示すように、挿入が進むにつれて小矢印が示すように、勘合用突起（2）と対応勘合突起部(7)に勘合により応力が生じ、これにより、LED照明灯（P）から生じる熱が、照明灯固定枠（S）に熱伝導用シリコンなどを使わなくとも接触抵抗の少ない熱伝導が可能となる。
長さ（Le）が200ｍｍ程度でｍ1及びｍ2が1ｍｍ程度、の場合、切削切り込み（6）がないと勘合は困難となる。
照明灯固定枠（S）に放熱部を設けることにより、LED照明灯（P）の放熱部を小さくできるので、LED照明灯（P）の放熱量が増えた場合、照明灯固定枠（S）のみをかえればいいので、LED照明灯（P）の生産効率も良くなる。
図7は、LED照明灯（P）と照明灯固定枠（S）を勘合後、天井に取り付けた図である。
【産業上の利用可能性】
【００１０】
LED照明灯用放熱構造として利用できる。
【符号の説明】
【００１１】
1.     
LED照明灯本体部
2.     
勘合用突起
3.     
LED
4.     
光拡散板
5.     
LED照明灯（P）の切削切り込み
6.     
照明灯固定枠（S）の切削切り込み
7.     
対応勘合突起部
P    LED照明灯
S    照明灯固定用枠
ｍ1  勘合用突起厚さ
L1   勘合用突起長さ
ｔ1  勘合用突起幅
ｍ2  対応勘合部突起厚さ
L2   対応勘合突起部長さ
ｔ2  対応勘合部突起幅
F    放熱フィン
Le   照明灯固定枠（S）の長さ
【図１】
2011171195.tif 000003
【図２】
2011171195.tif 000004
【図３】
2011171195.tif 000005
【図４】
2011171195.tif 000006
【図５】
2011171195.tif 000007
【図６】
2011171195.tif 000008
【図７】
2011171195.tif 000009
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
押し出し材からなるLED照明灯（P）に設けた勘合用突起(2)を前記LED照明灯（P）の固定と前記LED照明灯（P）からの熱の放熱を行う照明灯固定用枠（S）に設けた、対応する対応勘合部突起(7)に圧力にて勘合し、前記勘合用突起(2)と対応勘合部突起(7)のどちらか一方又は双方に勘合時の勘合圧力を調整する切込みを形成することを特徴したLED照明灯構造。
【請求項２】
勘合用突起を設けた押し出し材に固定されたLEDに前記LEDからの熱の放熱を行う、対応するもう一方の押し出し材の前記勘用突起に対応する勘合部突起に圧力にて勘合し、前記LEDからの熱を放熱するLED照明灯構造。
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
勘合用突起を設けた押し出し材からなるLED照明灯に前記LED照明灯からの熱の放熱を行う、対応する、もう一方の押し出し材からなる前記LED照明灯の固定用取付枠に設けた前記勘合用突起に対応する勘合部突起と、前記LED照明灯に設けた勘用突起と突起の、挿入時に互いの接触面に応力が生じるように圧力にて挿入し勘合することにより前記LED照明灯から前記LED照明灯の固定用取付枠における熱伝導時の接触抵抗を少なくし、前記LED照明灯の固定用取付枠より前記LED照明灯からの熱を放熱することを特徴とするLED照明灯構造。
【請求項２】
前記請求項1における、前記勘合用突起と対応勘合部突起のどちらか一方又は双方に勘合時の勘合圧力を調整する切込みを形成することを特徴したLED照明灯構造。
【請求項３】
勘合用突起を設けた複数の独立した押し出し材に固定されたLEDからの熱の放熱を行う、対応する、もう一方の独立した押し出し材に設けた前記勘合用突起に対応する勘合部突起と、前記LEDを固定した複数の独立した押し出し材に設けた勘用突起と突起の、挿入時に互いの接触面に応力が生じるように圧力にて挿入し勘合することにより前記LEDから前記放熱用押し出し材における熱伝導時の接触抵抗を少なくし、前記複数の独立した押し出し材に固定されたLEDからの熱を、前記放熱用押し出し材から放熱することを特徴とするLED照明灯構造。
【請求項４】
前記請求項3における、前記勘合用突起と対応勘合部突起のどちらか一方又は双方に勘合時の勘合圧力を調整する切込みを形成することを特徴したLED照明灯構造。
【手続補正２】
【補正対象書類名】明細書
【補正対象項目名】０００６
【補正方法】変更
【補正の内容】
【０００６】
【図１】天井に取り付けられたLED照明灯（P）
【図２】本発明によるLED照明灯本体部(1)
【図３】(1a) LED照明灯本体部(1)に光拡散板（4）を取り付ける斜視図(2a)完成した LED照明灯斜視図(P)
【図４】照明灯固定枠（S）
【図５】LED照明灯（P）を照明灯固定枠（S）に挿入する図である
【図６】LED照明灯（P）を照明灯固定枠（S）に挿入図である
【図７】LED照明灯（P）と照明灯固定枠（S）の天井取り付け図
【図８】複数のLED照明灯（P）と照明灯固定枠（S）の取り付け図 
【手続補正３】
【補正対象書類名】明細書
【補正対象項目名】０００８
【補正方法】変更
【補正の内容】
【０００８】
図1は、本発明による複数のパネル状LED照明灯（P）を天井に取り付けた図でありLED照明灯（P）から生じる熱は、主に複数のパネル状LED照明灯（P）を勘合する押し出し材からなる照明灯固定枠（S）から外気に放出される。
図2はアルミニューム押し出し材からなる本発明のLED照明灯本体部（1）の押し出し方向から見た図である、（2）は、幅(t1)、長さ(L1),厚さ(m1)のLED照明灯（P）と照明灯固定枠（S）を勘合する勘合用突起である。
【手続補正４】
【補正対象書類名】明細書
【補正対象項目名】０００９
【補正方法】変更
【補正の内容】
【０００９】
図3における図(1a)は、複数のLED(3)を、装着したLED照明灯本体部（1）に（配線図などは省略）矢印方向にアクリル製の光拡散板（4）を装着する図である、図(2a)は、装着後の図である。これが1つのLED照明灯（P）を形成する。
勘合用突起(2)には、切削切り込み（5）が施されている。この切り込みは以降に説明する
対応する照明灯固定枠（S）の勘合の際に勘合圧力を調整するためのものなので、必要に応じて数及びその有無が決められる。
図4は、LED照明灯（P）と勘合するアルミニューム押し出し材からなる熱放出のヒートシンク部となる、勘合用突起（2）に対応する長さ(L2)と厚さ(m2)の対応勘合部（7）を形成した長さ(Le)の放熱フィン(F)を形成した照明灯固定枠（S）である。
照明灯固定枠（S）には対応勘合部(7)に勘合時における勘合圧力を調整する切削切り込み（6）が施されている、この切り込みの数及び間隔は必要に応じて決められる。
図5は、LED照明灯（P）を照明灯固定用枠（S）に矢印の方向からまさに挿入する図である、LED照明灯（P）の勘合用突起（2）の幅(t1)は対応する照明灯固定用枠（S）の幅(t2)と同じ又は若干大きめに製作されているので、図6に示すように、挿入が進むにつれて小矢印が示すように、勘合用突起（2）と対応勘合突起部(7)に勘合により応力が生じ、これにより、LED照明灯（P）から生じる熱が、照明灯固定枠（S）に熱伝導用シリコンなどを使わなくとも接触抵抗の少ない熱伝導が可能となる。
長さ（Le）が200ｍｍ程度でｍ1及びｍ2が1ｍｍ程度、の場合、切削切り込み（6）がないと勘合は困難となる。
照明灯固定枠（S）に放熱部を設けることにより、LED照明灯（P）の放熱部を小さくできるので、LED照明灯（P）の放熱量が増えた場合、照明灯固定枠（S）のみをかえればいいので、LED照明灯（P）の生産効率も良くなる。
また、図8に示されるように、左右の照明灯固定枠（S）に複数のパネル状LED照明灯（P）を取り付けられることができるので左右に設けた照明灯固定枠（S）で複数のパネル状LED照明灯（P）の放熱ができる。
図7は、LED照明灯（P）と照明灯固定枠（S）を勘合後、天井に取り付けた図である。
図8は、2つのLED照明灯（P）を照明灯固定枠（S）を矢印方向に勘合する図である。
【手続補正５】
【補正対象書類名】図面
【補正対象項目名】図８
【補正方法】追加
【補正の内容】
【図８】
2011171195.tif 000010
【手続補正書】
【提出日】平成23年3月4日(2011.3.4)
【手続補正１】
【補正対象書類名】明細書
【補正対象項目名】全文
【補正方法】変更
【補正の内容】
【発明の詳細な説明】
【技術分野】
【０００１】
本発明は、LED照明灯の構造として使用される。
【背景技術】
【０００２】
LEDを用いた照明灯において天井や壁などに貼り付けて使用するパネル状のLED照明灯(P)は通常、発光部をガラス又はアクリル板で形成されている、そのパネル状の照明灯(P)の厚みを極力薄いものにしようとすると、パネルの背面は壁や天井に接しているのでLED照明灯(P)点灯時において生じる熱は、発光部を形成するアクリル部分や、接している壁や天井またはLED照明灯(P)に設けられた放熱用金属部から外気に放出されていくが、通常壁や天井及び前記アクリル部は熱伝導率が低いため、LED照明灯(P)からの熱を瞬時に放出するには困難であり、またパネル状のLED照明灯(P)の厚みが薄いので外気と接しているLED照明灯(P)に形成される熱伝導率の高く放熱に有効な金属部面積はわずかなものとなり、放熱も困難なものとなるので、LEDの温度が上昇しLED自体の寿命を低下させるおそれがあった。
【発明の概要】
【発明が解決しようとする課題】
【０００３】
本発明は、パネル状のLED照明灯(P)においてLED照明灯(P)から生じる熱を外気に放熱するため、LED照明灯(P)を天井などに固定する天井などに取り付けられるアルミ押し出し材からなる照明灯固定用枠（S）を放熱用のヒートシンク部としてLED照明灯(P)からの熱の放熱部を追加することによりLEDの寿命を低下させることのないLED照明（P）を製作し提供することにある。
【課題を解決するための手段】
【０００４】
本発明は、パネル状のLED照明灯(P)においてLED照明灯(P)から生じる熱を外気に放熱するため、アルミの押し出し材から形成される勘合のための勘合突起部（7）を備えたLED照明灯(P)を天井などに固定する天井などに取り付けられるアルミ押し出し材からなる照明灯固定用枠（S）を放熱用のヒートシンク部として追加し、前記LED照明灯（P）に形成した前記勘合用突起（2）を、照明灯固定用枠（S）に形成した対応する勘合用圧力調整のための切り込みのある勘合用突起部（7）に勘合することにより双方の勘合部の勘合圧力を調整し、熱伝導時における勘合による熱抵抗値を低減させ前記照明灯用枠（S）よりLED照明灯(P)からの熱を放熱する。
【発明の効果】
【０００５】
LEDの寿命を低下させることのないLED照明灯を提供できる。
【図面の簡単な説明】
【０００６】
【図１】照明灯固定枠（S）にて天井に取り付けられたLED照明灯（P）
【図２】本発明によるLED照明灯本体部(1)
【図３】(1a) LED照明灯本体部(1)に光拡散板（4）を取り付ける斜視図          (2a)完成した LED照明灯斜視図(P)
【図４】照明灯固定枠（S）
【図５】LED照明灯（P）を照明灯固定枠（S）にまさに挿入する図である
【図６】LED照明灯（P）を照明灯固定枠（S）に挿入図である
【図７】LED照明灯（P）と照明灯固定枠（S）の天井取り付け図
【図８】複数のLED照明灯（P）と照明灯固定枠（S）の取り付け図
【発明を実施するための形態】
【０００７】
以下、本発明の実施の形態を、図を使用して説明する。
【０００８】
図1は、本発明方法による複数のパネル状LED照明灯（P）を天井に取り付けた図であり前記LED照明灯（P）から生じる熱は、主に複数のパネル状LED照明灯（P）を勘合する押し出し材からなるヒートシンク部の照明灯固定枠（S）から外気に放出される。
図2はアルミニューム押し出し材からなる本発明のLED照明灯本体部（1）の押し出し方向から見た図である、（2）は、幅(t1)、長さ(L1),厚さ(m1)のLED照明灯（P）と照明灯固定枠（S）を勘合する勘合用突起である。
【０００９】
図3における図(1a)は、複数のLED(3)を、装着したLED照明灯本体部（1）に（配線図などは省略）矢印方向にアクリル製の光拡散板（4）を装着する図である、図(2a)は、装着後の図である。これが1つのLED照明灯（P）を形成する。
勘合用突起(2)には、切削切り込み（5）が施されている。この切り込みは以降に説明する
対応する照明灯固定枠（S）の勘合の際に勘合圧力を調整するためのものなので、必要に応じて数及びその有無が決められる。
図4は、アルミニューム押し出し材からなる熱放出のヒートシンク部となる、勘合用突起（2）に対応する長さ(L2)と厚さ(m2)の対応勘合部（7）を形成した長さ(Le)の放熱フィン(F)を形成した照明灯固定枠（S）である。
照明灯固定枠（S）には対応勘合部(7)に勘合時における勘合圧力を調整する切削切り込み（6）が施されている、この切り込みの数及び間隔は必要に応じて決められる。
図5は、LED照明灯（P）を照明灯固定用枠（S）に矢印の方向からまさに挿入する図である、LED照明灯（P）の勘合用突起（2）の幅(t1)は対応する照明灯固定用枠（S）の幅(t2)と同じ又は若干大きめに製作されているので、図6に示すように、挿入が進むにつれて小矢印が示すように、勘合用突起（2）と対応勘合突起部(7)に勘合により応力が生じ、これにより、LED照明灯（P）から生じる熱が、照明灯固定枠（S）に熱伝導用シリコンなどを使わなくとも接触抵抗の少ない熱伝導が可能となる。
突起の長さL１又はL2が10ｍｍ程度で照明灯固定枠（S）の長さ（Le）が200ｍｍ程度、各突起厚さであるｍ1又はｍ2が1ｍｍ程度、の場合、切削切り込み（6）がないと勘合は困難となる。
照明灯固定枠（S）に放熱部を設けることにより、LED照明灯（P）の放熱部を小さくできる又、LED照明灯（P）の放熱量が増えた場合、照明灯固定枠（S）のみをかえればいいので、LED照明灯（P）の生産効率も良くなる。
図7は、LED照明灯（P）と照明灯固定枠（S）を勘合後、天井に取り付けた図である。
図8は、2つのLED照明灯（P）を照明灯固定枠（S）を矢印方向に勘合する図である。
図8に示されるように、左右の照明灯固定枠（S）に複数のパネル状LED照明灯（P）を取り付けられることができるので左右に設けた照明灯固定枠（S）で複数のパネル状LED照明灯（P）の放熱ができる。
【産業上の利用可能性】
【００１０】
LED照明灯用放熱構造として利用できる。
【符号の説明】
【００１１】
1.     
LED照明灯本体部
2.     
勘合用突起
3.     
LED
4.     
光拡散板
5.     
LED照明灯（P）の切削切り込み
6.     
照明灯固定枠（S）の切削切り込み
7.     
対応勘合突起部
P    LED照明灯
S    照明灯固定用枠
ｍ1  勘合用突起の厚さ
L1   勘合用突起の長さ
ｔ1  勘合用突起の幅
ｍ2  対応勘合部突起の厚さ
L2   対応勘合突起部の長さ
ｔ2  対応勘合部突起の幅
F    放熱フィン
Le   照明灯固定枠（S）の長さ
【手続補正２】
【補正対象書類名】特許請求の範囲
【補正対象項目名】全文
【補正方法】変更
【補正の内容】
【特許請求の範囲】
【請求項１】
勘合用突起を設けた押し出し材に装着されたLEDからの熱を伝導させ放熱を行う、対応するもう一方の独立した押し出し材に設けた前記勘合用突起に、対応する突起間への挿入時に互いの接触面に応力が生じるように圧力にて挿入し勘合することにより前記LEDから前記放熱用押し出し材への熱伝導時の接触抵抗を少なくし、前記押し出し材に固定されたLEDからの熱を、前記放熱用押し出し材から放熱することを特徴とするLED照明灯構造。
【請求項２】
勘合用突起を設けた押し出し材に装着されたLEDからの熱を伝導させ放熱を行う、対応するもう一方の独立した押し出し材に設けた前記勘合用突起に、対応する突起間への挿入時に互いの接触面に応力が生じるように圧力にて挿入し勘合することにより前記LEDから前記放熱用押し出し材への熱伝導時の接触抵抗を少なくし、前記押し出し材に固定されたLEDからの熱を、前記放熱用押し出し材から放熱することを特徴とするLED照明灯構造において前記のLEDが装着された勘合用突起を設けた押し出し材は、前記対応するもう一方の押し出し材に複数勘合ができること特徴とするLED照明灯構造。
【請求項３】
勘合用突起を設けた押し出し材に装着されたLEDからの熱を伝導させ放熱を行う、対応するもう一方の独立した押し出し材に設けた前記勘合用突起に、対応する突起間への挿入時に互いの接触面に応力が生じるように圧力にて挿入し勘合することにより前記LEDから前記放熱用押し出し材への熱伝導時の接触抵抗を少なくし、前記押し出し材に固定されたLEDからの熱を、前記放熱用押し出し材から放熱することを特徴とするLED照明灯構造において前記LEDからの熱に応じて前記放熱用押し出し材を変えることができることを特徴とするLED照明灯構造。
【請求項４】
前記請求項1及び請求項2及び請求項3におけるLED照明灯構造において前記LEDを装着した押し出し材に設けた勘合用突起と対応するもう一方の放熱用押し出し材に設けた勘合部突起のどちらか一方又は双方に勘合時の勘合圧力を調整する切込みを形成することを特徴したLED照明灯構造。
【請求項５】
前記請求項1及び請求項2及び請求項3及び請求項4におけるLED照明灯構造において、LEDを装着した勘合用突起を設けた押し出し材は、1つの独立したLED照明灯を形成し、対応するもう一方の押し出し材は、前記LED照明灯からの熱の放熱用ヒートシンク部を兼ねた固定用取付枠であることを特徴したLED照明灯構造。
【手続補正３】
【補正対象書類名】図面
【補正対象項目名】全図
【補正方法】変更
【補正の内容】
【図１】
2011171195.tif 000011
【図２】
2011171195.tif 000012
【図３】
2011171195.tif 000013
【図４】
2011171195.tif 000014
【図５】
2011171195.tif 000015
【図６】
2011171195.tif 000016
【図７】
2011171195.tif 000017
【図８】
2011171195.tif 000018